(57)【特許請求の範囲】
【請求項１】
収納棚からの物品の取出しを補助する物品取出補助装置であって、
前記物品を乗せた状態で、前記収納棚の棚板上を奥行方向に滑動できるように設けられた、柔軟性を有する基体部と、
前記基体部が手前側に変位したときに、当該基体部を奥側に牽引して元の位置に戻す復元部と、
を備えることを特徴とする物品取出補助装置。
【請求項２】
請求項１に記載の物品取出補助装置において、
前記基体部の上面は、当該基体部の下面よりも高い摩擦係数を有する物品取出補助装置。
【請求項３】
請求項２に記載の物品取出補助装置において、
前記基体部の前記上面と前記下面とは、同一の素材からなり、
前記上面は、前記下面よりも粗い物品取出補助装置。
【請求項４】
請求項２に記載の物品取出補助装置において、
前記基体部の前記上面と前記下面とは、相異なる素材からなる物品取出補助装置。
【請求項５】
請求項１乃至４の何れかに記載の物品取出補助装置において、
前記奥行方向についての前記基体部の長さを１としたとき、
前記手前側への前記基体部の最大変位量は、０．５以上１未満である物品取出補助装置。
【請求項６】
請求項１乃至５の何れかに記載の物品取出補助装置において、
前記復元部は、前記奥行方向に伸縮する弾性体からなる物品取出補助装置。
【請求項７】
請求項６に記載の物品取出補助装置において、
前記弾性体は、ゴム又はバネである物品取出補助装置。
【請求項８】
請求項１乃至５の何れかに記載の物品取出補助装置において、
前記復元部は、
前記基体部の後端に連結され、当該基体部に連動して前記手前側に変位するシート部と、
前記手前側に変位した前記シート部を、左右方向に平行な軸周りに巻き付けることにより元の位置に戻すロール部と、を有する物品取出補助装置。
【請求項９】
請求項８に記載の物品取出補助装置において、
前記基体部は、シート状をしており、
前記復元部の前記シート部は、前記基体部に連設されている物品取出補助装置。
【請求項１０】
請求項１乃至９の何れかに記載の物品取出補助装置において、
前記基体部の後端近傍に固定され、当該基体部の上面から突出するように設けられた残物防止部材を備える物品取出補助装置。
【請求項１１】
請求項１０に記載の物品取出補助装置において、
前記残物防止部材は、前記基体部の左右方向の略全体にわたって延在する物品取出補助装置。
【請求項１２】
請求項１０又は１１に記載の物品取出補助装置において、
前記残物防止部材は、前記基体部に対して着脱可能である物品取出補助装置。
【請求項１３】
請求項１２に記載の物品取出補助装置において、
前記残物防止部材は、クリップ部を有しており、当該クリップ部によって前記基体部に固定される物品取出補助装置。
【請求項１４】
請求項１乃至１３の何れかに記載の物品取出補助装置において、
前記基体部の前端近傍に固定され、当該基体部の上面から突出するように設けられた落下防止部材を備える物品取出補助装置。
【請求項１５】
請求項１４に記載の物品取出補助装置において、
前記落下防止部材は、前記基体部の左右方向の略全体にわたって延在する物品取出補助装置。
【請求項１６】
請求項１４又は１５に記載の物品取出補助装置において、
前記落下防止部材は、前記基体部に対して着脱可能である物品取出補助装置。
【請求項１７】
請求項１６に記載の物品取出補助装置において、
前記落下防止部材は、クリップ部を有しており、当該クリップ部によって前記基体部に固定される物品取出補助装置。
【請求項１８】
請求項１乃至１７の何れかに記載の物品取出補助装置と、
前記棚板と、
を備える収納棚。
【請求項１９】
請求項１８に記載の収納棚において、
床面からの前記棚板の上面の高さは、１５０ｃｍ以上である収納棚。
【請求項２０】
請求項１８又は１９に記載の収納棚において、
当該収納棚は、飛行機内で旅客の頭上に設置された荷物棚である収納棚。
【発明の詳細な説明】
【技術分野】
【０００１】
本発明は、収納棚からの物品の取出しを補助する物品取出補助装置、及びそれを備える収納棚に関する。
【背景技術】
【０００２】
特許文献１には、物品が収納される収納棚が記載されている。同文献に記載された収納棚は、多段式の収納棚である。すなわち、この収納棚においては、高さ方向に沿って複数の棚板が設けられている。これらの棚板は、互いに離間している。それにより、各棚板上に物品を載置することが可能な構造となっている。
【先行技術文献】
【特許文献】
【０００３】
【特許文献１】特開２０１５−２１７１９３号公報
【発明の概要】
【発明が解決しようとする課題】
【０００４】
上述の多段式の収納棚によれば、高さ方向に広がる空間を有効活用して、物品を収納することができる。しかしながら、高い位置（特に自分の身長よりも高い位置）に収納された物品の取出しが楽でないという問題がある。
【０００５】
本発明は、上記課題に鑑みてなされたものであり、高い位置においても収納棚からの物品の取出作業を楽にする物品取出補助装置、及びそれを備える収納棚を提供することを目的とする。
【課題を解決するための手段】
【０００６】
本発明による物品取出補助装置は、収納棚からの物品の取出しを補助する物品取出補助装置であって、上記物品を乗せた状態で、上記収納棚の棚板上を奥行方向に滑動できるように設けられた基体部と、上記基体部が手前側に変位したときに、当該基体部を奥側に牽引して元の位置に戻す復元部と、を備えることを特徴とする。
【０００７】
この装置においては、物品を乗せた状態で棚板上を奥行方向に滑動することが可能な基体部が設けられている。物品を乗せたまま基体部を手前側に引っ張ることにより、当該物品を手元に引き寄せることができる。これにより、物品を取り出しやすくなる。さらに、この装置には、手前側に変位した基体部を奥側に牽引して元の位置に戻す復元部が設けられている。このため、物品を取り出した後、基体部から手を離せば、基体部は自動的に元の位置に戻る。それゆえ、自らの手で基体部を元の位置に戻す手間を省くことができる。
【発明の効果】
【０００８】
本発明によれば、高い位置においても収納棚からの物品の取出作業を楽にする物品取出補助装置、及びそれを備える収納棚が実現される。
【図面の簡単な説明】
【０００９】
【図１】本発明による物品取出補助装置及び収納棚の第１実施形態を示す端面図である。
【図２】図１の物品取出補助装置及び収納棚を示す平面図である。
【図３】図１の物品取出補助装置において基体部が手前側に変位した状態を示す端面図である。
【図４】図１の物品取出補助装置の効果を説明するための端面図である。
【図５】本発明による物品取出補助装置及び収納棚の第２実施形態を示す端面図である。
【図６】図５の物品取出補助装置及び収納棚を示す平面図である。
【図７】図５の物品取出補助装置において基体部が手前側に変位した状態を示す端面図である。
【図８】変形例に係る残物防止部材を示す正面図である。
【図９】図８の残物防止部材が基体部に固定された状態を示す正面図である。
【図１０】変形例に係る落下防止部材を示す正面図である。
【図１１】図１０の落下防止部材が基体部に固定された状態を示す正面図である。
【図１２】基体部の変形例を説明するための側面図である。
【図１３】物品取出補助装置の変形例を説明するための平面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による物品取出補助装置及び収納棚の第１実施形態を示す端面図である。また、図２は、図１の物品取出補助装置及び収納棚を示す平面図である。図１は、図２のI−I線に沿った端面を示している。収納棚１は、物品９０が収納される収納棚であって、棚板８０、及び物品取出補助装置６を備えている。物品取出補助装置６は、収納棚１からの物品９０の取出しを補助する装置であって、棚板８０上に設置されている。なお、図１及び図２においては１つの棚板８０のみが示されているが、収納棚１は、複数の棚板８０を備えていてもよい。その場合、物品取出補助装置６は、少なくとも１つの棚板８０上に設置される。
【００１２】
物品取出補助装置６は、基体部１０、及び復元部２０を備えている。基体部１０は、物品９０を乗せた状態で、棚板８０上を収納棚１の奥行方向（図１及び図２の左右方向）に滑動できるように設けられている。基体部１０は、シート状をしており、柔軟性（可撓性）を有している。奥行方向についての基体部１０の長さｄ１（図１参照）は、同方向についての棚板８０の長さの３／４以上であることが好ましい。また、図２に示すように、左右方向（同図の上下方向）についての基体部１０の長さは、同方向についての棚板８０の長さ（両側板８４間の距離）に略等しいことが好ましい。基体部１０の上面には、物品９０が乗せられる。基体部１０の下面は、棚板８０の上面に接している。基体部１０の素材としては、例えば、ゴム、プラスチック、不織布等を用いることができる。
【００１３】
基体部１０の上面は、基体部１０の下面よりも高い摩擦係数を有している。基体部１０において、上面と下面とは、同一の素材からなっていてもよいし、相異なる素材からなっていてもよい。前者の場合、上面に凹凸を形成する又は下面を研磨する等の表面加工により、上面を下面よりも粗くすることが好ましい。後者の場合、例えば、不織布製のシート上にゴム製のシートを貼り合わせることにより、上面及び下面がそれぞれゴム及び不織布からなる基体部１０を得ることができる。
【００１４】
図３に示すように、基体部１０を収納棚１の手前側（図中の右側）に引っ張ると、基体部１０は、棚板８０上を滑動しながら手前側に変位する。奥行方向についての基体部１０の長さｄ１を１としたとき、基体部１０の最大変位量（元の位置における基体部１０の後端から、手前側に最も大きく変位したときの基体部１０の後端までの距離）は、０．５以上１未満であることが好ましい。
【００１５】
図１及び図２に戻って、復元部２０は、基体部１０が手前側に変位したときに、当該基体部１０を奥側（図中の左側）に牽引して元の位置に戻す部分である。復元部２０は、奥行方向に伸縮する弾性体からなる。かかる弾性体としては、例えば、ゴム又はバネを用いることができる。復元部２０は、一端が基体部１０の後端に連結され、他端が収納棚１の背板８２に接続されている。これにより、復元部２０は、他端が棚板８０に対して固定された状態で、一端が基体部１０に連動して変位するように構成されている。
【００１６】
基体部１０が手前側に変位すると（図３参照）、復元部２０が伸長し、元の長さに収縮しようとする。それゆえ、基体部１０から手を離すと、復元部２０の収縮力により基体部１０が奥側に牽引され、元の位置に戻ることになる。
【００１７】
さらに、物品取出補助装置６は、残物防止部材３２、及び落下防止部材３４を備えている。残物防止部材３２は、基体部１０の後端近傍に固定され、基体部１０の上面から突出するように設けられている。残物防止部材３２は、物品９０が基体部１０の後端を乗り越えようとするのを妨げる機能を有する。残物防止部材３２は、図２からわかるように、基体部１０の左右方向の略全体にわたって延在している。残物防止部材３２は、物品９０から負荷を受けても変形しない程度の剛性を有している。残物防止部材３２の材料としては、例えば、ゴム、プラスチック、木材、金属等を用いることができる。
【００１８】
落下防止部材３４は、基体部１０の前端近傍に固定され、基体部１０の上面から突出するように設けられている。落下防止部材３４は、物品９０が基体部１０の前端を乗り越えようとするのを妨げる機能を有する。落下防止部材３４は、図２からわかるように、基体部１０の左右方向の略全体にわたって延在している。落下防止部材３４は、物品９０から負荷を受けても変形しない程度の剛性を有している。落下防止部材３４の材料としては、例えば、ゴム、プラスチック、木材、金属等を用いることができる。
【００１９】
本実施形態の効果を説明する。物品取出補助装置６においては、物品９０を乗せた状態で棚板８０上を奥行方向に滑動することが可能な基体部１０が設けられている。物品９０を乗せたまま基体部１０を手前側に引っ張ることにより、物品９０を手元に引き寄せることができる（図３参照）。これにより、物品９０を取り出しやすくなる。さらに、物品取出補助装置６には、手前側に変位した基体部１０を奥側に牽引して元の位置に戻す復元部２０が設けられている。このため、物品９０を取り出した後、基体部１０から手を離せば、基体部１０は自動的に元の位置に戻る。それゆえ、自らの手で基体部１０を元の位置に戻す手間を省くことができる。したがって、高い位置においても収納棚１からの物品９０の取出作業を楽にする物品取出補助装置６、及びそれを備える収納棚１が実現されている。かかる物品取出補助装置６は、床面からの上面の高さが１５０ｃｍ以上である棚板８０に設置した場合に特に有用となる。
【００２０】
また、復元部２０が設けられていることにより、基体部１０を手前側に引っ張りすぎて棚板８０上から落下させてしまう事態を防ぐことができる。このように復元部２０は、基体部１０自体が落下するのを防止するストッパーとしても機能する。
【００２１】
物品９０を取り出しやすくするには、基体部１０を手前側に大きく変位させた方が有利である。他方、基体部１０の後端が棚板８０から食み出す程度に基体部１０が大きく変位すると、当該後端が棚板８０の前端に引っ掛かって、基体部１０が元の位置に戻りにくくなるおそれがある。かかる観点から、奥行方向についての基体部１０の長さを１としたとき、手前側への基体部１０の最大変位量は、０．５以上１未満であることが好ましい。
【００２２】
基体部１０は、柔軟性を有している。それゆえ、図４に示すように、基体部１０の前端を棚板８０に対して斜め下向きに引っ張ることによっても、物品９０を手元に引き寄せることが可能となる。これにより、棚板８０が高い位置にある場合であっても、基体部１０に手が届きやすくなるため、物品９０の取出作業が一層楽になる。
【００２３】
基体部１０の上面は、基体部１０の下面よりも高い摩擦係数を有している。このように基体部１０の上面の摩擦係数を高くすることにより、基体部１０上で物品９０が滑りにくくなる。他方、基体部１０の下面の摩擦係数を低くすることにより、棚板８０上を基体部１０がスムーズに滑動できるようになる。これにより、軽い力で基体部１０を手前側に引っ張ることができるようになる。
【００２４】
基体部１０の上面と下面とが同一の素材からなる場合、簡易な構造で基体部１０を実現することができる。この場合であっても、上面が下面よりも粗くなるように表面加工を施すことにより、上面の摩擦係数を下面のそれよりも高くすることができる。
【００２５】
基体部１０の上面と下面とが相異なる素材からなる場合、表面加工を施さなくても、上面の摩擦係数を下面のそれよりも高くすることができる。また、この場合、上面と下面との間で摩擦係数に大きな差をつけやすいという利点もある。
【００２６】
基体部１０の下面は、棚板８０の上面に接している。これに対して、基体部１０の下面が棚板８０の上面から離間している場合、基体部１０と棚板８０との間の隙間の分だけ、棚板８０上の収納空間が狭くなってしまう。本実施形態においては、基体部１０と棚板８０との間に隙間がないため、棚板８０上の収納空間を広く確保することができる。
【００２７】
復元部２０は、奥行方向に伸縮する弾性体からなる。これにより、簡易な構造で復元部２０を実現することができる。
【００２８】
物品取出補助装置６には、物品９０が基体部１０の後端を乗り越えようとするのを妨げる残物防止部材３２が設けられている。物品９０が基体部１０の後端を乗り越えた場合、基体部１０を手前側に引っ張っても、物品９０は、棚板８０上に取り残されてしまう。残物防止部材３２を設けることにより、かかる事態を防ぐことができる。特に残物防止部材３２は、基体部１０の左右方向の略全体にわたって延在している。これにより、物品９０が基体部１０の後端を乗り越えようとするのを効果的に妨げることができる。ただし、残物防止部材３２を設けることは、必須でない。
【００２９】
また、物品取出補助装置６には、物品９０が基体部１０の前端を乗り越えようとするのを妨げる落下防止部材３４が設けられている。物品９０が基体部１０の前端を乗り越えた場合、物品９０が収納棚１の外に落下してしまうおそれがある。落下防止部材３４を設けることにより、かかる事態を防ぐことができる。特に落下防止部材３４は、基体部１０の左右方向の略全体にわたって延在している。これにより、物品９０が基体部１０の前端を乗り越えようとするのを効果的に妨げることができる。ただし、落下防止部材３４を設けることは、必須でない。
（第２実施形態）
【００３０】
図５は、本発明による物品取出補助装置及び収納棚の第２実施形態を示す端面図である。また、図６は、図５の物品取出補助装置及び収納棚を示す平面図である。図５は、図６のV−V線に沿った端面を示している。収納棚２は、物品９０が収納される収納棚であって、棚板８０、及び物品取出補助装置７を備えている。物品取出補助装置７は、収納棚２からの物品９０の取出しを補助する装置であって、棚板８０上に設置されている。
【００３１】
物品取出補助装置７は、基体部１０、及び復元部４０を備えている。基体部１０の構成は、第１実施形態で説明したとおりである。復元部４０は、基体部１０が手前側に変位したときに、当該基体部１０を奥側に牽引して元の位置に戻す部分である。復元部４０は、シート部４２、及びロール部４４を有している。
【００３２】
シート部４２は、基体部１０の後端に連結されており、基体部１０に連動して手前側に変位する。シート部４２は、基体部１０に連設されている。ロール部４４は、左右方向に平行な軸周りにシート部４２を巻き付けることにより、手前側に変位したシート部４２を元の位置に戻す部分である。すなわち、ロール部４４は、シート部４２が手前側に変位したときに、当該シート部４２を自動的に巻き取る機構を有している。かかる機構は、例えばロール部４４にゼンマイバネを内蔵させることにより、実現することができる。
【００３３】
図７に示すように、基体部１０が手前側に変位すると、それに連動してシート部４２も手前側に変位する。そうすると、ロール部４４は、シート部４２を元の位置に戻そうとする。それゆえ、基体部１０から手を離すと、シート部４２に連結された基体部１０が奥側に牽引され、元の位置に戻ることになる。本実施形態のその他の構成は、第１実施形態と同様である。
【００３４】
本実施形態の効果を説明する。物品取出補助装置７においては、物品９０を乗せた状態で棚板８０上を奥行方向に滑動することが可能な基体部１０が設けられている。物品９０を乗せたまま基体部１０を手前側に引っ張ることにより、物品９０を手元に引き寄せることができる。これにより、物品９０を取り出しやすくなる。さらに、物品取出補助装置７には、手前側に変位した基体部１０を奥側に牽引して元の位置に戻す復元部４０が設けられている。このため、物品９０を取り出した後、基体部１０から手を離せば、基体部１０は自動的に元の位置に戻る。それゆえ、自らの手で基体部１０を元の位置に戻す手間を省くことができる。したがって、高い位置においても収納棚２からの物品９０の取出作業を楽にする物品取出補助装置７、及びそれを備える収納棚２が実現されている。
【００３５】
復元部４０は、シート部４２及びロール部４４を有している。これにより、第１実施形態のように復元部が弾性体からなる場合と異なり、基体部１０の変位量にかかわらず、一定の力で基体部１０を引っ張ることが可能となる。
【００３６】
シート部４２は、基体部１０に連設されている。これにより、基体部１０及びシート部４２を１枚のシートで構成することも可能となる。このことは、物品取出補助装置７の構成を簡素化し、物品取出補助装置７の製造コストの低減に資する。本実施形態のその他の効果は、第１実施形態と同様である。
【００３７】
本発明は、上記実施形態に限定されるものではなく、様々な変形が可能である。上記実施形態において、残物防止部材３２は、図８に示すように、基体部１０に対して着脱可能であってもよい。同図において、残物防止部材３２は、クリップ部３３を有している。残物防止部材３２においては、下面の２か所にクリップ部３３が設けられている。一方のクリップ部３３は残物防止部材３２の左端に設けられ、他方のクリップ部３３は残物防止部材３２の右端に設けられている。この残物防止部材３２は、図９に示すように、クリップ部３３によって基体部１０に固定される。すなわち、基体部１０の左右両端をクリップ部３３で挟むことにより、残物防止部材３２が基体部１０に固定される。なお、同図は手前側から見た図であり、図中の左右方向は基体部１０の左右方向に等しい。
【００３８】
このように残物防止部材３２が着脱可能である場合、残物防止部材３２が取り付けられた状態でも、取り外された状態でも物品取出補助装置を使用することができるため、当該装置の利便性が向上する。
【００３９】
上記実施形態において、落下防止部材３４は、図１０に示すように、基体部１０に対して着脱可能であってもよい。同図において、落下防止部材３４は、クリップ部３５を有している。落下防止部材３４においては、下面の２か所にクリップ部３５が設けられている。一方のクリップ部３５は落下防止部材３４の左端に設けられ、他方のクリップ部３５は落下防止部材３４の右端に設けられている。この落下防止部材３４は、図１１に示すように、クリップ部３５によって基体部１０に固定される。すなわち、基体部１０の左右両端をクリップ部３５で挟むことにより、落下防止部材３４が基体部１０に固定される。なお、同図は手前側から見た図であり、図中の左右方向は基体部１０の左右方向に等しい。
【００４０】
このように落下防止部材３４が着脱可能である場合、落下防止部材３４が取り付けられた状態でも、取り外された状態でも物品取出補助装置を使用することができるため、当該装置の利便性が向上する。
【００４１】
上記実施形態においては、基体部１０の上面が下面よりも高い摩擦係数を有する場合を例示した。しかし、基体部１０の上面の摩擦係数は、下面の摩擦係数に等しくてもよいし、下面の摩擦係数より低くてもよい。
【００４２】
上記実施形態においては、基体部１０が柔軟性を有する場合を例示した。しかし、基体部１０は、柔軟性を有していなくてもよい。例えば、基体部１０は、可撓性のない板状部材からなっていてもよい。
【００４３】
上記実施形態においては、基体部１０の下面が棚板８０の上面に接した状態で、基体部１０が棚板８０上を滑動する場合を例示した。しかし、基体部１０は、図１２に示すように、その下面が棚板８０から離間した状態で、棚板８０上を滑動するものであってもよい。同図においては、基体部１０にタイヤ１２が設けられている。この基体部１０は、タイヤ１２が回転することにより棚板８０上を滑動する。かかる構成の場合、基体部１０と棚板８０との間に働く摩擦力が小さくなるため、棚板８０上を基体部１０が一層スムーズに滑動できるようになる。
【００４４】
上記実施形態においては、図１３に示すように、復元部を棚板に対して固定する固定手段が設けられていてもよい。同図は、例として、第１実施形態で示した物品取出補助装置６に固定手段を設けた場合を示している。同図においては、固定手段として突っ張り棒５０が設けられている。突っ張り棒５０は、収納棚の両側板８４間を左右方向に延びている。すなわち、突っ張り棒５０は、一端が一方の側板８４に当接し、他端が他方の側板８４に当接している。この突っ張り棒５０は、長さが可変であり、所定の範囲内で任意の長さに調整できるように構成されたものである。復元部２０の一端（基体部１０と反対側の端部）は、突っ張り棒５０に接続されている。これにより、復元部２０が棚板８０に対して固定されている。
【００４５】
かかる固定手段が設けられている場合、既存の収納棚に対しても、物品取出補助装置を容易に設置することができる。特に突っ張り棒５０は、既存の収納棚を傷付けることなく物品取出補助装置を設置するのに適している。固定手段としては、突っ張り棒５０の他にも、粘着テープ、吸盤、磁石等を用いることができる。なお、第２実施形態で示した物品取出補助装置７においても同様の固定手段を設けてよいことは、言うまでもない。
【００４６】
本発明による収納棚は、床上に設置されるものに限らず、壁面や天井に設置されるものであってもよい。例えば、飛行機内で旅客の頭上に設置された荷物棚や、列車内に設置された網棚も、本発明の収納棚に含まれる。これらの荷物棚や網棚は、高い位置に設置されるものである。それゆえ、本発明による物品取出補助装置が特に有用となる。
【符号の説明】
【００４７】
１  収納棚
２  収納棚
６  物品取出補助装置
７  物品取出補助装置
１０  基体部
１２  タイヤ
２０  復元部
３２  残物防止部材
３３  クリップ部
３４  落下防止部材
３５  クリップ部
４０  復元部
４２  シート部
４４  ロール部
５０  突っ張り棒
８０  棚板
８２  背板
８４  側板
９０  物品
【図１】
0006261657.tif 000002
【図２】
0006261657.tif 000003
【図３】
0006261657.tif 000004
【図４】
0006261657.tif 000005
【図５】
0006261657.tif 000006
【図６】
0006261657.tif 000007
【図７】
0006261657.tif 000008
【図８】
0006261657.tif 000009
【図９】
0006261657.tif 000010
【図１０】
0006261657.tif 000011
【図１１】
0006261657.tif 000012
【図１２】
0006261657.tif 000013
【図１３】
0006261657.tif 000014